(57)【特許請求の範囲】
【請求項１】
利用者の有する利用者端末装置と車両に備えられる車載装置を有し、予め決められた所定の固定された位置に前記車両を呼び寄せる該車両の呼び寄せシステムにおいて、
前記利用者端末装置は、専用の端末装置とするとともに、
前記予め決められた所定の固定された位置を登録する位置登録部と、
前記位置登録部により登録された所定の位置に複数の車両を呼び寄せるための車両呼び寄せ部と、を有し、
前記車両呼び寄せ部は、前記所定の距離範囲を設定する距離範囲設定部と、前記車両の位置を特定する車両位置特定部と、前記車両位置特定部により特定された車両の位置が前記位置登録部により登録された所定の位置から前記距離範囲設定部により設定された所定の距離範囲にあるか否かを判断し、前記登録された所定の位置から所定の距離範囲にある前記車両を特定する車両特定部と、を有し、
更に前記車両呼び寄せ部は、現在位置から前記位置登録部により登録された所定の位置に移動する車両の数を特定する車両移動数特定部と、前記現在位置から前記登録された所定の位置に車両が移動するか否かの情報を入力する車両移動情報入力部と、を有し、
前記車両移動数特定部は、前記車両移動情報入力部により入力された車両が移動するか否かの情報に基づいて前記移動する車両の数を特定し、
前記車両移動情報入力部は、前記車載装置の所定の移動釦が押下されることにより、前記車両が移動するか否かの情報を入力し、
更にまた前記車両呼び寄せ部は、前記移動している車両の数の表示の制御を行う車両移動数表示制御部を有し、前記車両移動数表示制御部は、前記車両特定部により特定された車両の車載装置および前記利用者端末装置に対し前記移動している車両の数の表示を行い、
また更に前記車両呼び寄せ部は、前記位置登録部により登録された所定の位置に待機している車両の数を特定する車両待機数特定部と、前記登録された所定の位置における車両の待機情報を入力する車両待機情報入力部と、を有し、
前記車両待機数特定部は、前記車両待機情報入力部により入力された待機情報に基づいて前記待機している車両の数を特定し、
前記車両待機情報入力部は、前記車載装置の所定の待機釦が押下されることにより、前記待機情報を入力し、
更に前記車両呼び寄せ部は、前記位置登録部により登録された所定の位置に前記車両が所定の待機時間待機したか否かを判断する待機判断部を有し、
前記車両待機数特定部は、更に前記待機判断部により前記所定の待機時間待機したと判断されたときに前記所定の位置に車両が待機しているものとみなして、前記待機している車両の数を特定し、
更にまた前記車両呼び寄せ部は、前記待機している車両の数の表示の制御を行う車両待機数表示制御部を有し、前記車両待機数表示制御部は、前記車両特定部により特定された車両の車載装置および前記利用者端末装置に対し前記待機している車両の数の表示を行い、
また更に前記車両呼び寄せ部は、車両に乗車する人数を入力する乗車人数入力部と、前記乗車人数入力部により入力された人数から呼び寄せに必要な車両の台数を演算する台数演算部と、を有し、
前記乗車人数入力部は、前記利用者端末装置の所定のスライドバーをスライド移動させることによりおよび前記利用者端末装置の所定の乗車人数を増減させるための増減入力釦を押下することにより、前記乗車する人数を特定して入力し、
更に前記車両呼び寄せ部は、前記乗車人数入力部により入力された前記乗車する人数の表示の制御を行う乗車人数表示制御部を有し、前記乗車人数表示制御部は、前記車両特定部により特定された車両の車載装置および前記利用者端末装置に対し前記乗車する人数の表示を行い、
更にまた前記車両呼び寄せ部は、前記台数演算部により演算された前記必要な車両の台数の表示の制御を行う必要車両台数表示制御部を有し、前記必要車両台数表示制御部は、前記車両特定部により特定された車両の車載装置および前記利用者端末装置に対し前記必要な車両の台数の表示を行い、
また更に前記車両呼び寄せ部は、前記呼び寄せに必要な車両の台数の不足のレベルを入力する車両台数不足レベル入力部を有し、
前記車両台数不足レベル入力部は、前記車両の台数の不足レベルを選択するための前記利用者端末装置の不足レベル釦が押下されることにより、前記車両の台数の不足レベルを入力し、
更に前記車両呼び寄せ部は、前記車両の台数の不足レベルの表示の制御を行う車両台数不足レベル表示制御部を有し、前記車両台数不足レベル表示制御部は、前記車両特定部により特定された車両の車載装置および前記利用者端末装置に対し前記車両の台数の不足レベルの表示を行い、
前記車両台数不足レベル表示制御部は、前記車両の台数の不足レベルの表示を色分けして行うことを特徴とする車両の呼び寄せシステム。
【請求項２】
利用者の有する利用者端末装置と車両に備えられる車載装置を有し、予め決められた所定の固定された位置に前記車両を呼び寄せる該車両の呼び寄せ方法において、
前記利用者端末装置は、専用の端末装置とするとともに、
前記予め決められた所定の固定された位置を登録する位置登録ステップと、
前記位置登録ステップにより登録された所定の位置に複数の車両を呼び寄せるための車両呼び寄せステップと、を有し、
前記車両呼び寄せステップは、前記所定の距離範囲を設定する距離範囲設定ステップと、前記車両の位置を特定する車両位置特定ステップと、前記車両位置特定ステップにより特定された車両の位置が前記位置登録ステップにより登録された所定の位置から前記距離範囲設定ステップにより設定された所定の距離範囲にあるか否かを判断し、前記登録された所定の位置から所定の距離範囲にある前記車両を特定する車両特定ステップと、を有し、
更に前記車両呼び寄せステップは、現在位置から前記位置登録ステップにより登録された所定の位置に移動する車両の数を特定する車両移動数特定ステップと、前記現在位置から前記登録された所定の位置に車両が移動するか否かの情報を入力する車両移動情報入力ステップと、を有し、
前記車両移動数特定ステップは、前記車両移動情報入力ステップにより入力された車両が移動するか否かの情報に基づいて前記移動する車両の数を特定し、
前記車両移動情報入力ステップは、前記車載装置の所定の移動釦が押下されることにより、前記車両が移動するか否かの情報を入力し、
更にまた前記車両呼び寄せステップは、前記移動している車両の数の表示の制御を行う車両移動数表示制御ステップを有し、前記車両移動数表示制御ステップは、前記車両特定ステップにより特定された車両の車載装置および前記利用者端末装置に対し前記移動している車両の数の表示を行い、
また更に前記車両呼び寄せステップは、前記位置登録ステップにより登録された所定の位置に待機している車両の数を特定する車両待機数特定ステップと、前記登録された所定の位置における車両の待機情報を入力する車両待機情報入力ステップと、を有し、
前記車両待機数特定ステップは、前記車両待機情報入力ステップにより入力された待機情報に基づいて前記待機している車両の数を特定し、
前記車両待機情報入力ステップは、前記車載装置の所定の待機釦が押下されることにより、前記待機情報を入力し、
更に前記車両呼び寄せステップは、前記位置登録ステップにより登録された所定の位置に前記車両が所定の待機時間待機したか否かを判断する待機判断ステップを有し、
前記車両待機数特定ステップは、更に前記待機判断ステップにより前記所定の待機時間待機したと判断されたときに前記所定の位置に車両が待機しているものとみなして、前記待機している車両の数を特定し、
更にまた前記車両呼び寄せステップは、前記待機している車両の数の表示の制御を行う車両待機数表示制御ステップを有し、前記車両待機数表示制御ステップは、前記車両特定ステップにより特定された車両の車載装置および前記利用者端末装置に対し前記待機している車両の数の表示を行い、
また更に前記車両呼び寄せステップは、車両に乗車する人数を入力する乗車人数入力ステップと、前記乗車人数入力ステップにより入力された人数から呼び寄せに必要な車両の台数を演算する台数演算ステップと、を有し、
前記乗車人数入力ステップは、前記利用者端末装置の所定のスライドバーをスライド移動させることによりおよび前記利用者端末装置の所定の乗車人数を増減させるための増減入力釦を押下することにより、前記乗車する人数を特定して入力し、
更に前記車両呼び寄せステップは、前記乗車人数入力ステップにより入力された前記乗車する人数の表示の制御を行う乗車人数表示制御ステップを有し、前記乗車人数表示制御ステップは、前記車両特定ステップにより特定された車両の車載装置および前記利用者端末装置に対し前記乗車する人数の表示を行い、
更にまた前記車両呼び寄せステップは、前記台数演算ステップにより演算された前記必要な車両の台数の表示の制御を行う必要車両台数表示制御ステップを有し、前記必要車両台数表示制御ステップは、前記車両特定ステップにより特定された車両の車載装置および前記利用者端末装置に対し前記必要な車両の台数の表示を行い、
また更に前記車両呼び寄せステップは、前記呼び寄せに必要な車両の台数の不足のレベルを入力する車両台数不足レベル入力ステップを有し、
前記車両台数不足レベル入力ステップは、前記車両の台数の不足レベルを選択するための前記利用者端末装置の不足レベル釦が押下されることにより、前記車両の台数の不足レベルを入力し、
更に前記車両呼び寄せステップは、前記車両の台数の不足レベルの表示の制御を行う車両台数不足レベル表示制御ステップを有し、前記車両台数不足レベル表示制御ステップは、前記車両特定ステップにより特定された車両の車載装置および前記利用者端末装置に対し前記車両の台数の不足レベルの表示を行い、
前記車両台数不足レベル表示制御ステップは、前記車両の台数の不足レベルの表示を色分けして行うことを特徴とする車両の呼び寄せ方法。
【請求項３】
利用者の有する専用の端末装置とする利用者端末装置と車両に備えられる車載装置を有し、予め決められた所定の固定された位置に前記車両を呼び寄せる該車両の呼び寄せシステムのコンピュータを、
前記予め決められた所定の固定された位置を登録する位置登録部と、
前記位置登録部により登録された所定の位置に複数の車両を呼び寄せるための車両呼び寄せ部として機能させ、
前記車両呼び寄せ部を、前記所定の距離範囲を設定する距離範囲設定部と、前記車両の位置を特定する車両位置特定部と、前記車両位置特定部により特定された車両の位置が前記位置登録部により登録された所定の位置から前記距離範囲設定部により設定された所定の距離範囲にあるか否かを判断し、前記登録された所定の位置から所定の距離範囲にある前記車両を特定する車両特定部として機能させ、
更に前記車両呼び寄せ部を、現在位置から前記位置登録部により登録された所定の位置に移動する車両の数を特定する車両移動数特定部として機能させ、
前記車両呼び寄せ部を、前記現在位置から前記登録された所定の位置に車両が移動するか否かの情報を入力する車両移動情報入力部として機能させ、
前記車両移動数特定部を、前記車両移動情報入力部により入力された車両が移動するか否かの情報に基づいて前記移動する車両の数を特定するように機能させ、
前記車両移動情報入力部を、前記車載装置の所定の移動釦が押下されることにより、前記車両が移動するか否かの情報を入力するように機能させ、
更にまた前記車両呼び寄せ部を、前記移動している車両の数の表示の制御を行う車両移動数表示制御部として機能させ、前記車両移動数表示制御部を、前記車両特定部により特定された車両の車載装置および前記利用者端末装置に対し前記移動している車両の数の表示を行うように機能させ、
また更に前記車両呼び寄せ部を、前記位置登録部により登録された所定の位置に待機している車両の数を特定する車両待機数特定部と、前記登録された所定の位置における車両の待機情報を入力する車両待機情報入力部として機能させ、
前記車両待機数特定部を、前記車両待機情報入力部により入力された待機情報に基づいて前記待機している車両の数を特定するように機能させ、
前記車両待機情報入力部を、前記車載装置の所定の待機釦が押下されることにより、前記待機情報を入力するように機能させ、
更に前記車両呼び寄せ部を、前記位置登録部により登録された所定の位置に前記車両が所定の待機時間待機したか否かを判断する待機判断部として機能させ、
前記車両待機数特定部を、更に前記待機判断部により前記所定の待機時間待機したと判断されたときに前記所定の位置に車両が待機しているものとみなして、前記待機している車両の数を特定するように機能させ、
更にまた前記車両呼び寄せ部を、前記待機している車両の数の表示の制御を行う車両待機数表示制御部として機能させ、前記車両待機数表示制御部を、前記車両特定部により特定された車両の車載装置および前記利用者端末装置に対し前記待機している車両の数の表示を行うように機能させ、
また更に前記車両呼び寄せ部を、車両に乗車する人数を入力する乗車人数入力部と、前記乗車人数入力部により入力された人数から呼び寄せに必要な車両の台数を演算する台数演算部として機能させ、
前記乗車人数入力部を、前記利用者端末装置の所定のスライドバーをスライド移動させることによりおよび前記利用者端末装置の所定の乗車人数を増減させるための増減入力釦を押下することにより、前記乗車する人数を特定して入力するように機能させ、
また前記車両呼び寄せ部を、前記乗車人数入力部により入力された前記乗車する人数の表示の制御を行う乗車人数表示制御部として機能させ、前記乗車人数表示制御部を、前記車両特定部により特定された車両の車載装置および前記利用者端末装置に対し前記乗車する人数の表示を行うように機能させ、
更にまた前記車両呼び寄せ部を、前記台数演算部により演算された前記必要な車両の台数の表示の制御を行う必要車両台数表示制御部として機能させ、前記必要車両台数表示制御部を、前記車両特定部により特定された車両の車載装置および前記利用者端末装置に対し前記必要な車両の台数の表示を行うように機能させ、
また更に前記車両呼び寄せ部を、前記呼び寄せに必要な車両の台数の不足のレベルを入力する車両台数不足レベル入力部として機能させ、
前記車両台数不足レベル入力部を、前記車両の台数の不足レベルを選択するための前記利用者端末装置の不足レベル釦が押下されることにより、前記車両の台数の不足レベルを入力するように機能させ、
更に前記車両呼び寄せ部を、前記車両の台数の不足レベルの表示の制御を行う車両台数不足レベル表示制御部として機能させ、前記車両台数不足レベル表示制御部を、前記車両特定部により特定された車両の車載装置および前記利用者端末装置に対し前記車両の台数の不足レベルの表示を行うように機能させ、
前記車両台数不足レベル表示制御部を、前記車両の台数の不足レベルの表示を色分けして行うように機能させることを特徴とするプログラム。
【請求項４】
請求項３に記載のプログラムを記憶することを特徴とするコンピュータが読み取り可能な記憶媒体。
【発明の詳細な説明】
【技術分野】
【０００１】
本発明は、車両の呼び寄せシステム、車両の呼び寄せ方法、プログラム、およびコンピュータ読み取り可能な記憶媒体に関し、特に所定の位置に車両を呼び寄せる車両の呼び寄せシステム、車両の呼び寄せ方法、プログラム、およびコンピュータ読み取り可能なプログラムに関する。
【背景技術】
【０００２】
タクシー等の営業用車両における各種の配車システムが知られている。すなわち、例えば、特許文献１には、配車センタと車載装置を備えた配車システムにおいて、車載装置が利用者を検出して、車両を利用者の位置まで移動させる車載装置が開示されている。
【先行技術文献】
【特許文献】
【０００３】
【特許文献１】特開２０１９−２８６６３号
【発明の概要】
【発明が解決しようとする課題】
【０００４】
ところで、営業用車両の利用においては、例えば宴会等の後には一度に多数の利用があるため多数の営業用車両を必要とする場合がある。このような場合には、利用者側が営業用車両を有する管理者側に多数の配車要請をし、この配車要請を受けた管理者側の配車センタの担当者が各営業用車両に無線連絡をする等して現場への配車を行っていた。
しかしながら、必要数の配車を行うことができず利用者側の不満を招いたり、営業用車両が現場に向かったときには既に必要数に達している場合がある等、利用者と営業用車両の管理者側との間でミスマッチを生じることが多かった。
【０００５】
本発明はこのような事情に鑑みてなされたものであり、所定の位置に複数の車両を呼び寄せることができる車両の呼び寄せシステム、車両の呼び寄せ方法、プログラム、およびコンピュータ読み取り可能な記憶媒体を提供することを目的とする。
【課題を解決するための手段】
【０００６】
上記目的を達成するために、車両の呼び寄せシステムに係る発明は、所定の位置に車両を呼び寄せる該車両の呼び寄せシステムにおいて、前記所定の位置を登録する位置登録部と、前記位置登録部により登録された所定の位置に複数の車両を呼び寄せるための車両呼び寄せ部と、を有することを特徴とする。
【０００７】
本発明によれば、前記所定の位置を登録する位置登録部と、前記位置登録部により登録された所定の位置に複数の車両を呼び寄せるための車両呼び寄せ部と、を有することとしたので、登録された所定の位置に複数の車両を呼び寄せることができる。
【０００８】
前記車両呼び寄せ部は、前記所定の距離範囲を設定する距離範囲設定部と、前記複数の車両の位置を特定する車両位置特定部と、前記車両位置特定部により特定された複数の車両の位置が前記位置登録部により登録された所定の位置から前記距離範囲設定部により設定された所定の距離範囲にあるか否かを判断し、前記登録された所定の位置から所定の距離範囲にある前記車両を特定する車両特定部と、を有することとすれば、所定の位置から所定の距離範囲にある車両を特定し呼び寄せることができる。
【０００９】
前記車両呼び寄せ部は、現在位置から前記位置登録部により登録された所定の位置に移動する車両の数を特定する車両移動数特定部を有することとすれば、現在位置から所定の位置に移動する車両の数を特定することができる。
【００１０】
前記車両呼び寄せ部は、前記現在位置から前記登録された所定の位置に車両が移動するか否かの情報を入力する車両移動情報入力部を有し、前記車両移動数特定部は、前記車両移動情報入力部により入力された車両が移動するか否かの情報に基づいて前記移動する車両の数を特定することができる。
【００１１】
前記車両移動情報入力部は、所定の移動釦が押下されることにより、前記車両が移動するか否かの情報を入力することとすれば、例えば、車両の運転者が所定の移動釦を押下することにより、所定の位置に移動しているか否かの情報を迅速に入力することができる。
前記車両呼び寄せ部は、前記移動している車両の数の表示の制御を行う車両移動数表示制御部を有することとすれば、所定の位置に移動する車両の数を把握することができる。
【００１２】
前記車両呼び寄せ部は、前記位置登録部により登録された所定の位置に待機している車両の数を特定する車両待機数特定部を有することとすれば、登録された所定の位置に待機している車両の数を特定することができる。
【００１３】
前記車両呼び寄せ部は、前記登録された所定の位置における車両の待機情報を入力する車両待機情報入力部を有し、前記車両待機数特定部は、前記車両待機情報入力部により入力された待機情報に基づいて前記待機している車両の数を特定することができる。
【００１４】
前記車両待機情報入力部は、所定の待機釦が押下されることにより、前記待機情報を入力することとすれば、例えば、車両の運転者が所定の待機釦を押下することにより、所定の位置に待機しているか否かの情報を迅速に入力することができる。
【００１５】
前記車両呼び寄せ部は、前記位置登録部により登録された所定の位置に前記車両が所定の待機時間待機したか否かを判断する待機判断部を有し、前記車両待機数特定部は、前記待機判断部により前記所定の待機時間待機したと判断されたときに前記所定の位置に車両が待機しているものとみなして、前記待機している車両の数を特定することとすれば、例えば、車両の運転者が所定の釦を押下することを忘れた場合にも、所定の位置に待機しているか否かの情報を入力することができる。
【００１６】
前記車両呼び寄せ部は、前記待機している車両の数の表示の制御を行う車両待機数表示制御部を有し、前記車両待機数表示制御部は、前記車両特定部により特定された車両に対し前記待機している車両の数の表示を行うこととすれば、待機している車両の数を把握することができる。
【００１７】
前記車両呼び寄せ部は、前記車両に乗車する人数を入力する乗車人数入力部と、前記乗車人数入力部により入力された人数から呼び寄せに必要な車両の台数を演算する台数演算部と、を有することとすれば、呼び寄せに必要な台数を演算することができる。
【００１８】
前記乗車人数入力部は、所定のスライドバーをスライド移動させることによりおよび／または所定の乗車人数を増減させるための増減入力釦を押下することにより、前記乗車する人数を特定し入力することとすれば、人数の数値情報を入力することなく単純なスライド移動操作や増減入力釦の押下により乗車する人数を特定し入力することができる。
【００１９】
前記呼び寄せ部は、前記乗車人数入力部により入力された前記乗車する人数の表示の制御を行う乗車人数表示制御部を有し、前記乗車人数表示制御部は、前記車両特定部により特定された車両に対し前記乗車する人数の表示を行うこととすれば、乗車する人数を把握することができる。
【００２０】
前記車両呼び寄せ部は、前記台数演算部により演算された前記必要な車両の台数の表示の制御を行う必要車両台数表示制御部を有し、前記必要車両台数表示制御部は、前記車両特定部により特定された車両に対し前記必要な車両の台数の表示を行うこととすれば、呼び寄せに必要な台数を把握することができる。
【００２１】
前記車両呼び寄せ部は、前記呼び寄せに必要な車両の台数の不足のレベルを入力する車両台数不足レベル入力部を有することとすれば、車両の台数の不足のレベルに応じて配車要請をすることができる。
【００２２】
前記車両台数不足レベル入力部は、前記車両の台数の不足レベルを選択するための不足レベル釦が押下されることにより、前記車両の台数の不足レベルを入力することとすれば、例えば、利用者が不足レベル釦を押下することにより、車両の台数が不足しているか否かの情報を迅速に入力することができる。
【００２３】
前記呼び寄せ部は、前記車両の台数の不足レベルの表示の制御を行う車両台数不足レベル表示制御部を有し、前記車両台数不足レベル表示制御部は、前記車両特定部により特定された車両に対し前記車両の台数の不足レベルの表示を行うこととすれば、車両の台数の不足レベルを把握することができる。
【００２４】
前記車両台数不足レベル表示制御部は、前記車両の台数の不足レベルの表示を色分けして行うこととすれば、視覚を介して迅速に車両の不足レベルを把握することができる。
【００２５】
上記目的を達成するために、車両の呼び寄せ方法に係る発明は、所定の位置に車両を呼び寄せる該車両の呼び寄せ方法において、前記所定の位置を登録する位置登録ステップと、前記位置登録ステップにより登録された所定の位置に複数の車両を呼び寄せるための車両呼び寄せステップと、を有することを特徴とする。
【００２６】
上記目的を達成するために、プログラムに係る発明は、所定の位置に車両を呼び寄せる該車両の呼び寄せシステムのコンピュータを、前記所定の位置を登録する位置登録部と、前記位置登録部により登録された所定の位置に複数の車両を呼び寄せるための車両呼び寄せ部として機能させることを特徴とする。
上記目的を達成するために、コンピュータが読み取り可能な記憶媒体に係る発明は、上記のプログラムを記憶することを特徴とする。
【発明の効果】
【００２７】
本発明によれば、所定の位置に複数の車両を呼び寄せることができる。
【図面の簡単な説明】
【００２８】
【図１】本発明の実施形態における車両の呼び寄せシステムの全体構成を示す図である。
【図２】同呼び寄せシステムにおける利用者端末装置、車載装置、サーバ装置のコンピュータの構成を示すブロック図である。
【図３】同利用者端末装置の端末装置表示部の構成を示す図で、（ａ）はメイン画面の構成を示す図、（ｂ）は入力画面の構成を示す図である。
【図４】同車載装置の車載装置表示部の構成を示す図である。
【図５】同サーバ装置の構成を示すブロック図である。
【図６】同サーバ装置の構成を示す別のブロック図である。
【図７】同呼び寄せシステムにおける車両の呼び寄せ方法を説明するためのフローチャートである。
【発明を実施するための形態】
【００２９】
以下、本発明の実施形態について図面を参照して詳細に説明する。図１は、本発明の実施形態における車両の呼び寄せシステムの全体構成を示す図、図２は、同呼び寄せシステムにおける利用者端末装置、車載装置、サーバ装置のコンピュータの構成を示すブロック図、図３は、同利用者端末装置の端末装置表示部の構成を示す図、図４は、同車載装置の車載装置表示部の構成を示す図、図５は、同サーバ装置の構成を示すブロック図、図６は、同サーバ装置の構成を示す別のブロック図である。
【００３０】
図１を参照して本発明の呼び寄せシステム１の概要を説明すると、呼び寄せシステム１は、利用者端末装置３、車載装置５、およびサーバ装置８を有しており、所定の位置Ｘに車両６例えばタクシー等の営業用車両６を呼び寄せることができる（車両６は営業用車両６以外の他の車両６とすることとしてもよい）。利用者端末装置３および車載装置５は、サーバ装置８およびネットワーク通信回線９を介して通信可能となっており、相互に信号情報の入出力を行うことができる。ネットワーク通信回線９は、インターネットやＬＡＮ（Ｌｏｃａｌ Ａｒｅａ Ｎｅｔｗｏｒｋ）等の通信回線を含むことができる。利用者端末装置３、車載装置５、およびサーバ装置８は、コンピュータとしての一般的構成を備えている。
【００３１】
すなわち、利用者端末装置３、車載装置５、およびサーバ装置８は、図２に示すように、相互にバス３Ａ，５Ａ，８Ａを介して接続された中央処理装置（ＣＰＵ、ＧＰＵ、ＤＳＰ）３Ｂ，５Ｂ，８Ｂ、記憶装置（ＲＯＭ、ＲＡＭ、ハードディスク、キャッシュメモリ）３Ｃ，５Ｃ，８Ｃ、入力装置（キーボード、タッチパネル、マウス）３Ｄ，５Ｄ，８Ｄ、表示装置（液晶ディスプレー）３Ｅ，５Ｅ，８Ｅ等を有している。記憶装置３Ｃ，５Ｃ，８Ｃは、コンピュータが読み取り可能な記憶媒体として機能する。
【００３２】
利用者端末装置３は、車両６を利用する利用者が有しており、例えば、専用の端末装置が用いられる。
利用者端末装置３は、図３に示すように、端末装置表示部４を有している。端末装置表示部４は、複数の画面４ａ，４ｂを切り換えることができ、起動時において表示されるメイン画面４ａとデータを入力する時に表示される入力画面４ｂを有している。
【００３３】
メイン画面４ａには、乗り場の名称（所定の位置Ｘの名称）の表示４ａ１、所定の位置Ｘに待機している車両６の数（待機台数）の表示４ａ２、所定の位置Ｘに移動している車両６の数（向かっている台数）の表示４ａ７、必要な車両６の台数の表示４ａ３、所定の位置Ｘにおける乗車する人数（お待ちのお客様数）の表示４ａ４、所定の位置Ｘにおける車両６の台数の不足レベルの表示４ａ５、入力釦４ａ６が表示されている。メイン画面４ａの入力釦４ａ６を押下することにより入力画面４ｂに切り換えることができる。
【００３４】
入力画面４ｂには、乗り場の名称（所定の位置Ｘの名称）の表示４ｂ１、所定の位置Ｘにおける乗車する人数（お待ちのお客様数）の表示４ｂ２、スライドバー４ｂ３、増減入力釦４ｂ４、不足レベル釦４ａ５、送信釦４ｂ６が表示されている。送信釦４ｂ６を押下することにより、入力画面４ｂから入力したデータをサーバ装置８に送信することができる。なお、利用者端末装置３は、専用の端末装置の他、携帯電話機、スマートフォン、タブレット端末等の携帯端末装置を用いることとしてもよい。
【００３５】
車載装置５は、車両６に備えられている。車載装置５は、全地球測位システムすなわちＧＰＳ（Ｇｌｏｂａｌ  Ｐｏｓｉｔｉｏｎｉｎｇ  Ｓｙｓｔｅｍ）の機能を備えており、リアルタイムに車両６の現在位置Ｙを検出することができる。検出された車両６の現在位置Ｙはサーバ装置８に送られる。
【００３６】
車載装置５は、図４に示すように、車載装置表示部７を有している。車載装置表示部７は、待機釦７ａ、移動釦７ｂ、所定の位置Ｘに待機している車両６の数（待機台数）の表示７ｃ、所定の位置Ｘに移動している車両６の数（所定の位置Ｘに向かっている台数）の表示７ｇ、必要な車両６の台数の表示７ｄ、所定のＸにおける乗車する人数の表示７ｅ、および所定の位置Ｘにおける車両６の台数の不足レベルの表示７ｆを行うことができる。
【００３７】
サーバ装置８は、図５に示すように、位置登録部１０および車両呼び寄せ部２０の各機能部を有している。位置登録部１０および車両呼び寄せ部２０は、相互に信号情報の入出力を行うことができる。
【００３８】
位置登録部１０は、車両６を呼び寄せるための予め決められた所定の位置Ｘの情報を登録することができる。予め決められた所定の位置Ｘは、例えば、宿泊施設や飲食店、イベント会場等の一度に多数の車両６の配車要請のある位置となる。位置登録部１０は、これら所定の位置Ｘの情報として住所等の位置情報を登録することができる。所定の位置Ｘは一の端末装置３において固定された位置となる。
【００３９】
呼び寄せ部２０は、位置登録部１０により登録された所定の位置Ｘに複数の車両６を呼び寄せることができる。呼び寄せ部２０は、図６に示すように、乗車人数入力部２２、台数演算部２４、車両台数不足レベル入力部２６、距離範囲記憶部２８、距離範囲設定部３０、車両位置特定部３２、車両特定判断部３４、車両特定部３６、車両移動情報入力部３８、車両移動数特定部４０、車両待機情報入力部４２、車両待機数特定部４４、待機判断部４６、乗車人数表示制御部４８、必要車両台数表示制御部５０、車両台数不足レベル表示制御部５２、車両移動数表示制御部５４、および車両待機数表示制御部５６の各機能部を有しており、各機能部は、相互に信号情報の入出力を行うことができる。
【００４０】
乗車人数入力部２２は、車両６に乗車する人数を入力することができる。乗車人数入力部２２は、利用者が端末装置表示部４のスライドバー４ｂ３をスライド移動させることによりおよび乗車人数を増減させるための増減入力釦４ｂ４を押下することにより、乗車する人数を特定し入力することができる。スライドバー４ｂ３をスライド移動させるによりスライド位置の長さに応じた乗車人数を入力することができる。また増減入力釦４ｂ４を押下することにより乗車人数を一人単位で増減させることができ、スライドバー４ｂ３により入力した乗車人数を増減入力釦４ｂ４により増減させて微調整することができる。
【００４１】
台数演算部２４は、乗車人数入力部２２により入力された人数から呼び寄せに必要な車両６の台数を演算することができる。台数演算部２４は、車両６の１台当たりの乗車可能人数を例えば４人として必要な台数を演算することができる。
【００４２】
車両台数不足レベル入力部２６は、呼び寄せに必要な車両６の不足のレベルを入力する機能を有している。車両台数不足レベル入力部２６は、利用者が端末装置表示部４の不足レベル釦４ａ５より詳しくは車両６の台数の不足レベルを選択するための不足レベル釦４ａ５を押下することにより、車両６の台数の不足レベルを入力することができる。車両台数不足レベル入力部２６は、車両６の台数の不足レベルを高レベル（車両６の不足数が多い状態）、中レベル（車両６の不足数が普通の状態）、低レベル（車両６の不足数が少ない状態）の如く入力することができる。
【００４３】
距離範囲記憶部２８は、所定の距離範囲を記憶することができる。所定の距離範囲は、車両６が所定の時間内に所定の位置Ｘに到着することが可能な距離範囲で設定され記憶される。例えば、所定の距離範囲は、５００ｍの如く設定され記憶される。
【００４４】
距離範囲設定部３０は、距離範囲記憶部２８により記憶された所定の距離範囲を設定することができる。
【００４５】
車両位置特定部３２は、車両６の現在位置Ｙの情報を特定することができる。車両６の現在位置Ｙの情報は、車載装置５に搭載されたＧＰＳの機能により特定することができる。車両位置特定部３２は、車載装置５からネットワーク通信回線９を介して車両６の現在位置Ｙの情報を入力し特定することができる。
【００４６】
車両特定判断部３４は、車両位置特定部３２により特定された車両６の現在位置Ｙが位置登録部１０により登録された所定の位置Ｘから距離範囲設定部３０により設定された所定の距離範囲にあるか否かを判断することができる。
【００４７】
車両特定部３６は、車両特定判断部３４が、車両位置特定部３２により特定された車両６の現在位置Ｙが位置登録部１０により登録された所定の位置Ｘから距離範囲設定部３０により設定された所定の距離範囲にあると判断した場合に、該所定の距離範囲にある車両６を特定することができる。車両特定部３６により特定された車両６には、乗車人数表示制御部４８、必要車両台数表示制御部５０、車両台数不足レベル表示制御部５２、車両移動数表示制御部５４、および車両待機数表示制御部５６により車両６の呼び寄せに関する各種の表示が行われる。
【００４８】
車両移動情報入力部３８は、位置登録部１０に登録された所定の位置Ｘに車両が移動するか否かの情報を入力することができる。車両移動情報入力部３８は、例えば車両６の運転者が車載装置表示部７の移動釦７ｂを押下することにより、車両６が所定の位置Ｘに移動するか否かの情報を入力することができる（移動釦７ｂが押下されたときに車両６が移動するとの情報を入力する）。車両６の運転者は、移動釦７ｂを押下した後に、位置登録部１０により登録された所定の位置Ｘつまり待機位置に向かう。
【００４９】
車両移動数特定部４０は、位置登録部１０により登録された所定の位置Ｘに移動する車両６の数を特定することができる。車両移動数特定部４０は、車両移動情報入力部３８により入力された車両６が移動するか否かの情報に基づいて所定の位置Ｘに移動する車両６の数を特定することができる。
【００５０】
車両待機情報入力部４２は、位置登録部１０により登録された所定の位置Ｘ（待機位置）における車両６が待機している旨の情報を入力することができる。車両待機情報入力部４２は、車両６の運転者が車載装置表示部７の待機釦７ａを押下することにより、車両６が所定の位置Ｘ（待機位置）に待機している旨の情報を入力することができる。
【００５１】
車両待機数特定部４４は、位置登録部１０により登録された所定の位置Ｘに待機している車両６の数を特定することができる。車両待機数特定部４４は、利用者が待機釦７ａを押下することにより、車両待機情報入力部４２により入力された車両６が待機している旨の情報に基づいて待機している車両６の数を特定することができる。
【００５２】
待機判断部４６は、位置登録部１０により登録された位置Ｘに車両６が所定の待機時間待機したか否かを判断することができる。車両待機情報入力部４２は、待機判断部４６により所定の待機時間待機したと判断されたときに所定の位置Ｘに車両６が待機しているものとみなして、所定の位置Ｘ（待機位置）における車両６が待機している旨の情報を入力し、車両待機数特定部４４は、待機している車両６の数を特定することもできる。すなわち、車両６の運転者が待機釦７ａを押下し忘れた場合にあっても、待機判断部４６の判断結果に基づいて待機している車両６の数を特定することができる。
【００５３】
乗車人数表示制御部４８は、乗車人数入力部２２により入力された乗車する人数の表示４ａ４，７ｅの制御を行うことができる。乗車人数表示制御部４８は、乗車する人数の表示４ａ４，７ｅを端末装置表示部４および車載装置表示部７において行うことができる。
【００５４】
必要車両台数表示制御部５０は、台数演算部２４により演算された必要な車両６の台数の表示４ａ３，７ｄの制御を行うことができる。必要車両台数表示制御部５０は、必要な車両６の台数の表示４ａ３，７ｄを端末装置表示部４および車載装置表示部７において行うことができる。
【００５５】
車両台数不足レベル表示制御部５２は、車両６の台数の不足レベルの表示４ａ５，７ｆの制御を行うことができる。車両台数不足レベル表示制御部５２は、車両６の台数の不足レベルの表示４ａ５，７ｆを色分けして行うことができる。車両台数不足レベル表示制御部５２は、車両６の台数の不足レベルの表示４ａ５，７ｆを例えば高レベルを赤色、中レベルを黄色、低レベルを青色の如く、信号機の色を模擬して行うことができる。車両台数不足レベル表示制御部５２は、車両６の台数の不足レベルの表示４ａ５，７ｆを端末装置表示部４および車載装置表示部７において行うことができる。
【００５６】
車両移動数表示制御部５４は、移動している車両６の数の表示４ａ７，７ｇの制御を行うことができる。車両移動数表示制御部５４は、移動している車両６の数の表示４ａ７，７ｇを端末装置表示部４および車載装置表示部７において行うことができる。
【００５７】
車両待機数表示制御部５６は、車両待機数特定部４４により特定された待機している車両６の数の表示４ａ２，７ｃの制御を行うことができる。車両待機数表示制御部５６は、待機している車両６の数の表示４ａ２，７ｃを端末装置表示部４および車載装置表示部７において行うことができる。
【００５８】
ここで、上述した記憶装置３Ｃ，５Ｃ，８Ｃは、上記の各機能部を機能させるためのプログラム１００が記憶されている。すなわち、記憶装置３Ｃ，５Ｃ，８Ｃに記憶されているプログラム１００は、所定の位置Ｘに車両６を呼び寄せる該車両６の呼び寄せシステム１のコンピュータを、位置登録部１０および呼び寄せ部２０として機能させることができ、呼び寄せ部２０を更に、乗車人数入力部２２、台数演算部２４、車両台数不足レベル入力部２６、距離範囲記憶部２８、距離範囲設定部３０、車両位置特定部３２、車両特定判断部３４、車両特定部３６、車両移動情報入力部３８、車両移動数特定部４０、車両待機情報入力部４２、車両待機数特定部４４、待機判断部４６、乗車人数表示制御部４８、必要車両台数表示制御部５０、車両台数不足レベル表示制御部５２、車両移動数表示制御部５４、および車両待機数表示制御部５６として機能させることができる。
【００５９】
次に、車両６の呼び寄せシステム１における呼び寄せ方法を図７のフローチャートに基づいて詳細に説明する。
【００６０】
すなわち、ステップＳ１０において、位置登録部１０が所定の位置Ｘの情報を登録する。また、距離範囲設定部３０が、距離範囲記憶部２８から所定の距離範囲を読み出して設定する。
【００６１】
次いで、ステップＳ２０において、乗車人数入力部２２が、車両６に乗車する人数を入力する。この乗車人数入力部２２による乗車する人数の入力は、利用者のスライドバー４ｂ３および増減入力釦４ｂ４の操作を介して行われる。    
続いて、ステップＳ３０において、台数演算部２４が、乗車人数入力部２２により入力された人数から呼び寄せに必要な車両６の台数を演算する。
【００６２】
次に、ステップＳ４０において、車両台数不足レベル入力部２６が、呼び寄せに必要な車両６の不足のレベルを入力する。この不足レベルの入力は、利用者の不足レベル釦４ａ５の操作を介して行われる。
【００６３】
次いで、ステップＳ５０において、車両位置特定部３２が、車両６の現在位置Ｙの情報を特定する。
続いて、ステップＳ６０において、車両特定判断部３４が、車両位置特定部３２により特定された車両６の現在位置Ｙが位置登録部１０により登録された所定の位置Ｘから距離範囲設定部３０により設定された所定の距離範囲にあるか否かを判断する。
【００６４】
ステップＳ６０において、所定の距離範囲にあると判断された場合は、ステップＳ７０において、車両特定部３６が、所定の距離範囲にある車両６を特定する。特定された車両６の車載装置表示部７には、乗車人数表示制御部４８による乗車する人数の表示７ｅ、必要車両台数表示制御部５０による必要な車両６の台数の表示７ｄ、車両台数不足レベル表示制御部５２による車両６の台数の不足レベルの表示７ｆが行なわれる。また、特定された車両６には、車両移動数表示制御部５４による移動している他の車両６の数の表示７ｇ、車両待機数表示制御部５６による待機している他の車両６の数の表示７ｃが行われる。なお、端末装置３の端末装置表示部４においても、乗車人数表示制御部４８による乗車する人数の表示４ａ４、必要車両台数表示制御部５０による必要な車両６の台数の表示４ａ３、車両台数不足レベル表示制御部５２による車両６の台数の不足レベルの表示４ａ５、車両移動数表示制御部５４による移動している他の車両６の数の表示４ａ７、車両待機数表示制御部５６による待機している他の車両６の数の表示４ａ２が行われる。
【００６５】
次に、ステップＳ８０において、車両移動情報入力部３８が、所定の位置Ｘに車両６が移動するか否かの情報を入力する。所定の位置Ｘに車両６が移動する旨の情報の入力は、車両６の運転者の移動釦７ｂの操作を介して行われる。車両６の運転者は、移動釦７ｂを押下した後に、所定の位置Ｘに向かう。
【００６６】
続いて、ステップＳ９０において、車両移動数特定部４０が、所定の位置Ｘに移動する車両６の数を特定する（車両６の車載装置表示部７には、自身の移動も含めて車両移動数表示制御部５４による移動している車両６の数の表示７ｇが行われる）。
【００６７】
次に、ステップＳ１００において、車両待機情報入力部４２が、所定の位置Ｘ（待機位置）における車両６が待機している旨の情報を入力する。この車両６が待機している旨の情報の入力は、車両６の運転者の車載装置表示部７の待機釦７ａの操作を介して行うことができる。なお、車両６の運転者が待機釦７ａを押下し忘れた場合にあっては、待機判断部４６の判断結果に基づいて、車両待機情報入力部４２が所定の位置Ｘに車両６が待機しているものとみなして、所定の位置Ｘ（待機位置）における車両６が待機している旨の情報を入力する。
【００６８】
次いで、ステップＳ１１０において、車両待機数特定部４４が、所定の位置Ｘに待機している車両６の数を特定する（車両６の車載装置表示部７には、自身の待機も含めて車両待機数表示制御部５６による待機している車両６の数の表示４ａ２が行われる）。
【００６９】
以上説明したように、本発明によれば、位置登録部１０により登録された所定の位置Ｘに複数の車両６を呼び寄せるための車両呼び寄せ部２０と、を有することとしたので、登録された所定の位置Ｘに複数の車両６を呼び寄せることができる。
【００７０】
また、車両呼び寄せ部２０は、距離範囲設定部３０と、車両位置特定部３２と、車両特定部３６と、を有することとしたので、所定の位置Ｘから所定の距離範囲にある車両６を特定し呼び寄せることができる。
【００７１】
更に、車両呼び寄せ部２０は、車両移動数特定部４０を有することとしたので、現在位置Ｙから所定の位置Ｘに移動する車両６の数を特定することができる。
【００７２】
更にまた、車両移動情報入力部３８は、所定の移動釦７ｂが押下されることにより、車両６が移動するか否かの情報を入力することとしたので、例えば、車両６の運転者が所定の移動釦７ｂを押下することにより、所定の位置Ｘに移動しているか否かの情報を迅速に入力することができる。
【００７３】
また更に、車両呼び寄せ部２０は、車両移動数表示制御部５４を有することとしたので、所定の位置Ｘに移動する車両６の数を把握することができる。
【００７４】
また、車両呼び寄せ部２０は、車両待機数特定部４４を有することとしたので、登録された所定の位置Ｘに待機している車両６の数を特定することができる。
【００７５】
更に、車両待機情報入力部４２は、所定の待機釦７ａが押下されることにより、待機情報を入力することとしたので、例えば、車両６の運転者が所定の待機釦７ａを押下することにより、所定の位置Ｘに待機しているか否かの情報を迅速に入力することができる。
【００７６】
更にまた、車両呼び寄せ部２０は、車両待機数特定部４４は、待機判断部４６により所定の待機時間待機したと判断されたときに所定の位置Ｘに車両が待機しているものとみなして、待機している車両６の数を特定することとしたので、車両６の運転者が所定の待機釦７ａを押下することを忘れた場合にも、所定の位置Ｘに待機しているか否かの情報を入力することができる。
【００７７】
また更に、車両呼び寄せ部２０は、車両待機数表示制御部５６を有し、車両待機数表示制御部５６は、車両特定部３６により特定された車両６に対し待機している車両６の数の表示を行うこととしたので、待機している車両６の数を把握することができる。
【００７８】
また、車両呼び寄せ部２０は、乗車人数入力部２２と、台数演算部２４と、を有することとしたので、呼び寄せに必要な台数を演算することができる。
【００７９】
更に、乗車人数入力部２２は、所定のスライドバー４ｂ３をスライド移動させることによりおよび所定の乗車人数を増減させるための増減入力釦４ｂ４を押下することにより、乗車する人数を特定し入力することとしたので、人数の数値情報を入力することなく単純なスライド移動操作や増減入力釦４ｂ４の押下により乗車する人数を特定し入力することができる。
【００８０】
更にまた、呼び寄せ部２０は、乗車人数表示制御部４８を有し、乗車人数表示制御部４８は、車両特定部３６により特定された車両６に対し乗車する人数の表示を行うこととしたので、乗車する人数を把握することができる。
【００８１】
また更に、車両呼び寄せ部２０は、必要車両台数表示制御部５０を有し、必要車両台数表示制御部５０は、車両特定部３６により特定された車両６に対し必要な車両６の台数の表示を行うこととしたので、呼び寄せに必要な台数を把握することができる。
【００８２】
また、車両呼び寄せ部２０は、車両台数不足レベル入力部２６を有することとしたので、車両６の台数の不足のレベルに応じて配車要請をすることができる。
【００８３】
更に、車両台数不足レベル入力部２６は、車両６の台数の不足レベルを選択するための不足レベル釦４ｂ５が押下されることにより、車両６の台数の不足レベルを入力することとしたので、例えば、利用者が不足レベル釦４ｂ５を押下することにより、車両６の台数が不足しているか否かの情報を迅速に入力することができる。
【００８４】
更にまた、呼び寄せ部２０は、車両台数不足レベル表示制御部５２を有し、車両台数不足レベル表示制御部５２は、車両特定部３６により特定された車両６に対し車両６の台数の不足レベルの表示４ａ５を行うこととしたので、車両６の台数の不足レベルを把握することができる。
【００８５】
また更に、車両台数不足レベル表示制御部５２は、車両６の台数の不足レベルの表示４ａ５を色分けして行うこととしたので、視覚を介して迅速に車両６の不足レベルを把握することができる。
【００８６】
なお、本発明は特許請求の範囲に記載した発明の範囲を逸脱しない範囲で種々の変更実施、応用実施が可能であることは勿論である。
例えば、上述した実施形態にあっては、乗車人数入力部２２は、所定のスライドバー４ｂ３をスライド移動させることによりおよび所定の乗車人数を増減させるための増減入力釦４ｂ４を押下することにより、乗車する人数を特定し入力することとしているが、乗車人数入力部２２は、所定のスライドバー４ｂ３をスライド移動させることによりまたは所定の乗車人数を増減させるための増減入力釦４ｂ４を押下することにより、乗車する人数を特定し入力することとしてもよい。
【００８７】
また、上述した実施形態にあっては、位置登録部１０、乗車人数入力部２２、台数演算部２４、車両台数不足レベル入力部２６、距離範囲記憶部２８、距離範囲設定部３０、車両位置特定部３２、車両特定判断部３４、車両特定部３６、車両移動情報入力部３８、車両移動数特定部４０、車両待機情報入力部４２、車両待機数特定部４４、待機判断部４６、乗車人数表示制御部４８、必要車両台数表示制御部５０、車両台数不足レベル表示制御部５２、車両移動数表示制御部５４、および車両待機数表示制御部５６は、サーバ装置８が備えることとしているが、端末装置３や車載装置５に適宜に備えることとしてもよい。
【符号の説明】
【００８８】
Ｘ：所定の位置
Ｙ：現在位置
１：呼び寄せシステム
３：利用者端末装置
３Ａ：バス
３Ｂ：中央処理装置
３Ｃ：記憶装置
３Ｄ：入力装置
３Ｅ：表示装置
４：端末装置表示部
４ａ：メイン画面
４ａ１：乗り場の名称（所定の位置の名称）の表示
４ａ２：待機している車両の数（待機台数）の表示
４ａ３：必要な車両の台数の表示
４ａ４：乗車する人数（お待ちのお客様数）の表示
４ａ５：所定の位置における車両の台数の不足レベルの表示
４ａ６：入力釦
４ａ７：所定の位置に移動している車両の数（向かっている台数）
４ｂ：入力画面
４ｂ１：乗り場の名称（所定の位置の名称）の表示
４ｂ２：乗車する人数（お待ちのお客様数）の表示
４ｂ３：スライドバー
４ｂ４：増減入力釦
４ｂ５：不足レベル釦
４ｂ６：送信釦
５：車載装置
５Ａ：バス
５Ｂ：中央処理装置
５Ｃ：記憶装置
５Ｄ：入力装置
５Ｅ：表示装置
６：車両
７：車載装置表示部
７ａ：待機釦
７ｂ：移動釦
７ｃ：待機している車両の数（待機台数）の表示
７ｄ：必要な車両の台数の表示
７ｅ：乗車する人数の表示
７ｆ：車両の台数の不足レベルの表示
７ｇ：所定の位置に移動している車両の数（向かっている台数）
８：サーバ装置
８Ａ：バス
８Ｂ：中央処理装置
８Ｃ：記憶装置
８Ｄ：入力装置
８Ｅ：表示装置
９：ネットワーク通信回線
１０：位置登録部
２０：車両呼び寄せ部
２２：乗車人数入力部
２４：台数演算部
２６：車両台数不足レベル入力部
２８：距離範囲記憶部
３０：距離範囲設定部
３２：車両位置特定部
３４：車両特定判断部
３６：車両特定部
３８：車両移動情報入力部
４０：車両移動数特定部
４２：車両待機情報入力部
４４：車両待機数特定部
４６：待機判断部
４８：乗車人数表示制御部
５０：必要車両台数表示制御部
５２：車両台数不足レベル表示制御部
５４：車両移動数表示制御部
５６：車両待機数表示制御部
１００：プログラム
【要約】      （修正有）【課題】所定の位置に複数の車両を呼び寄せることができる車両の呼び寄せシステム、車両の呼び寄せ方法、プログラム、およびコンピュータ読み取り可能な記憶媒体を提供する。【解決手段】車両６の呼び寄せシステム１は、予め決められた所定の位置を登録する位置登録部と、位置登録部により登録された所定の位置に複数の車両６を呼び寄せるための車両呼び寄せ部と、を有する。車両呼び寄せ部は、所定の距離範囲を設定する距離範囲設定部と、複数の車両６の位置を特定する車両位置特定部と、車両位置特定部により特定された複数の車両６の位置が位置登録部により登録された所定の位置から距離範囲設定部により設定された所定の距離範囲にあるか否かを判断し、登録された所定の位置から所定の距離範囲にある車両６を複数特定する車両数特定部と、を有する。【選択図】図１【図１】
0006980355.tif 000002
【図２】
0006980355.tif 000003
【図３】
0006980355.tif 000004
【図４】
0006980355.tif 000005
【図５】
0006980355.tif 000006
【図６】
0006980355.tif 000007
【図７】
0006980355.tif 000008